(57)【特許請求の範囲】
【請求項１】
一枚の板紙からなり、矩形状の表固定板１０、表示板２０、前記表固定板１０と略等しい大きさの裏固定板３０が折罫１２、２３を介して順に連接し、前記表固定板１０の前記折罫１２、２３と直交する方向の両端辺に折罫１４を介して前記両端辺の両端部の少なくとも前記折罫１２と対向する端部に係合切欠４１を有する折込みフラップ４０が連接すると共に前記裏固定板３０の前記折罫１２、２３と直交する方向の両端辺の両端部の少なくとも前記折罫２３と対向する端部に前記係合切欠４１と係合する係合突片３１が設けられ、前記裏固定板３０を前記折罫２３で前記表示板２０に対して山折りし、前記表固定板１０を前記折罫１２で前記表示板２０に対して山折りして前記裏固定板３０に重ね合わせて筒状体となした内部に前記折込みフラップ４０を前記折罫１４で折込むことにより前記係合切欠４１と前記係合突片３１とを係合させて固定したことを特徴とする表示具。
【発明の詳細な説明】
【０００１】
【発明の属する技術分野】
本発明は、種々の商品を販売する店舗等で商品等を購買者にアピールするためのアイキャッチャーとして供される表示具に関する。
【０００２】
【従来の技術】
従来、各種の商品を販売する店舗等で商品等を購買者にアピールするアイキャッチャーとして、ＰＯＰ（Ｐｏｉｎｔ  ｏｆ  Ｐｕｒｃｈａｓｅ）が広く利用されている。この種の一番シンプルな形態は、紙等に油性や水性インキで商品や価格、あるいは、アピールしたい内容を記載し、スタンド等にセロハンテープ等の接着手段で貼着したものである。
【０００３】
しかし、上記の形態は、臨場感はあるものの急拵えの感があり、また平面的であると共に有り触れたものであり、訴求効果という面ではインパクトの弱いものであった。
【０００４】
また、別の形態としては、たとえば、特開平１０−２３６４６８号公報、特開平１１−１４７５１８号公報に開示されているような展示用紙箱がある。これらは、いずれも紙箱を開口すると共に紙箱の一部を折り返す等して表示部を起立させるなり、あるいは、紙箱の一部を切り取ると共に切り取った部分を紙箱に設けられている切欠に差し込んで表示部を起立させるなりして、紙箱に収納された内容物を購買者にアピールするようにしたものである。しかし、これについても、いずれも平面的であると共に一般的に広く採用されている形態であるために目新しさに欠けるものであり、訴求効果という面ではインパクトの弱いものであった。
【０００５】
【発明が解決しようとする課題】
そこで本発明は、使用時までは平板状に積み置きすることができて保管スペースをとることがなく、使用時には現場で容易に組立てて用いることができる訴求効果に優れた表示具を提供することである。
【０００６】
【課題を解決するための手段】
本発明者は、上記課題を達成するために、請求項１記載の本発明の表示具は、一枚の板紙からなり、矩形状の表固定板１０、表示板２０、前記表固定板１０と略等しい大きさの裏固定板３０が折罫１２、２３を介して順に連接し、前記表固定板１０の前記折罫１２、２３と直交する方向の両端辺に折罫１４を介して前記両端辺の両端部の少なくとも前記折罫１２と対向する端部に係合切欠４１を有する折込みフラップ４０が連接すると共に前記裏固定板３０の前記折罫１２、２３と直交する方向の両端辺の両端部の少なくとも前記折罫２３と対向する端部に前記係合切欠４１と係合する係合突片３１が設けられ、前記裏固定板３０を前記折罫２３で前記表示板２０に対して山折りし、前記表固定板１０を前記折罫１２で前記表示板２０に対して山折りして前記裏固定板３０に重ね合わせて筒状体となした内部に前記折込みフラップ４０を前記折罫１４で折込むことにより前記係合切欠４１と前記係合突片３１とを係合させて固定したことを特徴とするものである。このように構成することにより、使用時までは平板状に積み置きすることができて保管スペースをとることがなく、使用時には現場で容易に組立てることができ、たとえば、商品棚の上に置くなり、あるいは、スタンド等にセロハンテープ等の接着手段で貼着するなり、あるいは、上記した展示用紙箱の表示部やこれに類似したものに差し込むなりすることにより、立体的かつ存在感のある表示具とすることができ、購買者の目を引き購買意欲を掻き立てることができる。
【０００７】
【発明の実施の形態】
上記の本発明について、図面等を用いて以下に詳述する。
図１は本発明にかかる表示具の一実施例を示す斜視図、図２は図１に示す表示具の展開図、図３は本発明にかかる表示具の他の実施例を示す斜視図、図４は本発明にかかる表示具の使用状態の一実施例を説明する図であり、図中の１，１’は表示具、２はブランク板、１０は表固定板、１２，１４，２３は折罫、２０は表示板、２１は矢印状切刃、２２は矢印状突片、３０は裏固定板、３１は係合突片、４０は折込みフラップ、４１は係合切欠、Ａは表示部をそれぞれ示す。
【０００８】
図１は本発明にかかる表示具の一実施例を示す斜視図、図２は図１に示す表示具の展開図であって、表示具１は、矩形状の表固定板１０、表示板２０、前記表固定板１０と略等しい大きさの裏固定板３０が折罫１２、２３を介して順に連接し、前記表固定板１０の前記折罫１２、２３と直交する方向の両端辺に折罫１４を介して前記両端辺の両端部に係合切欠４１を有する折込みフラップ４０が連接すると共に前記裏固定板３０の前記折罫１２、２３と直交する方向の両端辺の両端部に前記係合切欠４１と係合する係合突片３１が設けられた一枚のブランク板２からなり、前記裏固定板３０を前記折罫２３で前記表示板２０に対して山折りし、前記表固定板１０を前記折罫１２で前記表示板２０に対して山折りして前記裏固定板３０に重ね合わせて筒状体となした内部に前記折込みフラップ４０を前記折罫１４で折込むことにより前記係合切欠４１と前記係合突片３１とを係合させて固定したものである。
【０００９】
このように、表示具１は使用時までは図２に示すように平板状であり、積み置きすることができるために保管スペースをとることがなく、また、使用時には組立てるための道具や接着剤といったものを一切用いることなく容易に組立てることができ、組み立てた外観は図１からも明らかなように、体裁のよい断面略半円形状の略蒲鉾型となり、表示板２０により形成される曲面部が表示部Ａとして機能するために、購買者の目を引き購買意欲を掻き立てることができる。
【００１０】
また、図３は本発明にかかる表示具の他の実施例を示す斜視図であって、表示具１’は図１に示す表示具１の表示板２０に矢印状切刃２１を設けて該切刃２１により矢印状突片２２が前記表示板２０から飛出すように構成したものであって、これ以外は図１に示した表示具１と同じである。このように構成した表示具１’は、購買者の目を一層引くことができるために、より購買意欲を掻き立てることができる。
【００１１】
図４は本発明にかかる表示具の使用状態の一実施例を説明する図であって、本発明の表示具１は、たとえば、該表示具１の前記表固定板１０と前記裏固定板３０とにより形成される隙間（図示せず）を用いて、図４（ａ）に示すような先端に矩形状等の板Ｂを備えたスタンドの前記板Ｂに図４（ｂ）に示すように装着して用いることができるし、また、店頭の陳列棚等に前記表固定板１０を下側になるように直置きして用いてもよいものである。
【００１２】
なお、実施例においては、係合切欠４１を表固定板１０の折罫１２、２３と直交する方向の両端辺の両端部に設け、係合突片３１を裏固定板３０の前記折罫１２、２３と直交する方向の両端辺の両端部に設けたものを示したが、係合切欠４１は前記表固定板１０の折罫１２、２３と直交する方向の両端辺の少なくとも折罫１２と対向する端部に設け、係合突片３１は前記裏固定板３０の前記折罫１２、２３と直交する方向の両端辺の少なくとも前記折罫２３と対向する端部に設ければよいものである。また、本発明の表示具は実施例に示したものに限るものではなく、図示はしないが、たとえば、表示板２０の折罫１２、２３の間に前記折罫１２、２３と平行に別の折罫を１ないし複数本設けて、断面多角形状の表示具としてもよいものである。この場合は当然のことながら、折込みフラップ４０についても、それぞれに対応する形状となることは当然のことである。また、図示はしなかったが、表示板２０の表示部２０は印刷を施してもよいし、また、手書きすることにより、臨場感を演出するようにしてもよいものである。
【００１３】
【発明の効果】
以上縷々説明したように、本発明の表示具は、使用時までは平板状に積み置きすることができて保管スペースをとることがなく、使用時には現場で容易に組立てて用いることができ、組み立てた外観は体裁がよく、立体的かつ存在感があり、購買者の目を充分に引くことができ、また、表示具が紙からなるために廃棄も極めて容易であるなどの数々の優れた効果を奏するものである。。
【図面の簡単な説明】
【図１】  本発明にかかる表示具の一実施例を示す斜視図である。
【図２】  図１に示す表示具の展開図である。
【図３】  本発明にかかる表示具の他の実施例を示す斜視図である。
【図４】  本発明にかかる表示具の使用状態の一実施例を説明する図である。
【符号の説明】
１，１’                      表示具
２                            ブランク板
１０                          表固定板
１２，１４，２３              折罫
２０                          表示板
２１                          矢印状切刃
２２                          矢印状突片
３０                          裏固定板
３１                          係合突片
４０                          折込みフラップ
４１                          係合切欠
Ａ                            表示部
【図１】
0003813501.tif 000002
【図２】
0003813501.tif 000003
【図３】
0003813501.tif 000004
【図４】
0003813501.tif 000005